(57)【要約】【課題】ご高齢の方だと、足首の関節の柔軟性が失われがちになり、転倒してしまうと骨折の原因となることも多いが、有効な対策は示されていない。手軽で、短時間ですみ、また、高い費用をかける必要のない効果の高い方法が求められている。【解決手段】  使用者の足が載置される載置面を有する基部と、使用者の足が載置された状態で足の甲側に延在し、基部に連結される保持部と、使用者の足が記基部に載置された状態で、使用者の足首を中心とし屈曲方向に足を曲げるように付勢するための屈曲方向付勢手段又は前記使用者の足首を中心とし屈曲方向に対向する伸展方向に足を曲げるように付勢するための伸展方向付勢手段とを備えるスリッパ状、もしくは靴状である足首関節訓練具。【選択図】図３
2017202286.tif 000002
【特許請求の範囲】
【請求項１】
使用者の足が載置される載置面を有する基部と、
前記基部に前記使用者の足が載置された状態で前記足の甲側に延在し、前記基部に連結される保持部と、
前記使用者の足が前記基部に載置された状態で、前記使用者の足首を中心とし屈曲方向に前記足を曲げるように付勢するための屈曲方向付勢手段及び前記使用者の足首を中心とし前記屈曲方向に対向する伸展方向に前記足を曲げるように付勢するための伸展方向付勢手段の一方又は両方と、を備えることを特徴とする足首関節訓練具。
【請求項２】
前記屈曲方向付勢手段は、前記基部から延びる弾性部材であることを特徴とする請求項１に記載の足首関節訓練具。
【請求項３】
前記弾性部材は無端部材であり、前記載置面に対向する前記基部の裏面に、前記弾性部材を係止するための凹部が設けられていることを特徴とする請求項２に記載の足首関節訓練具。
【請求項４】
前記使用者の足のつま先を覆うように延在する被覆部を備え、前記伸展方向付勢手段は、前記載置面に対向する前記基部の裏面に対し、所定角度で延在し前記被覆部に設けられる第１の伸展補助面を有することを特徴とする請求項１〜３のいずれか一に記載の足首関節訓練具。
【請求項５】
前記伸展方向付勢手段は、前記所定角度で延在し前記基部に設けられる第２の伸展補助面を有することを特徴とする請求項４に記載の足首関節訓練具。
【請求項６】
前記被覆部と前記保持部とは一部品から構成されていることを特徴とする請求項４又は５に記載の足首関節訓練具。
【請求項７】
前記所定角度は、９２〜９５度であることを特徴とする請求項４〜６のいずれか一に記載の足首関節訓練具。
【請求項８】
前記被覆部は、前記第１の伸展補助面から湾曲に連続する湾曲面を有することを特徴とする請求項４〜７のいずれか一に記載の足首関節訓練具。
【請求項９】
前記基部は、前記使用者の足が前記基部に載置された状態で前記足の踵側の位置に、前記載置面に対向する前記基部の裏面に対し傾斜する傾斜面を備えることを特徴とする請求項１〜８のいずれか一に記載の足首関節訓練具。
【発明の詳細な説明】
【技術分野】
【０００１】  本発明は、足首の関節の柔軟性を高める足首関節訓練具に関するものである。
【背景技術】
【０００２】人間の身体は、立位にて上から下への重力と地面からの圧力を頸椎・腰椎・股関節・膝関節・足関節の５か所で吸収している。５か所とも非常に重要であるが、なかでも足首関節が硬くなり、つま先が上がらなくなると、わずかな段差でも躓いてしまい、転倒の原因となる。
特にご高齢の方だと、転倒してしまうと骨折の原因となることも多く、予防していくことがなによりも重要になると考えている。【０００３】足首の関節が正常な方は、膝や股関節に痛みや変形がない。しかし、ご高齢の方だと、足首の関節の柔軟性が失われがちになり、転倒してしまうと骨折の原因となることも多いが、有効な対策は示されていない。【０００４】足首等に装着し、転倒防止をはかる器具として、特許文献１に開示されている足矯正具があるが、絶えず装着する必要があり、面倒であり、血行が悪くなる等のデメリットが危惧される。
【先行技術文献】
【特許文献】
【０００５】
【特許文献１】特開２０１２−０００１６８号公報
【発明の概要】
【発明が解決しようとする課題】
【０００６】上記の足矯正具は、足首の柔軟性を基本的に改善するものではなく、さらに、この足矯正具を使用する使用者に、かなりの負担（負荷）をかけることになり、実用的でない。手軽で、短時間ですみ、また、費用が嵩むことのない、足首に柔軟性を付与するための屈伸運動に利用できる足首関節訓練具が求められている。
【課題を解決するための手段】
【０００７】上述した課題を解決し、目的を達成するために、本発明の足首関節訓練具の第１の態様は、使用者の足が載置される載置面を有する基部と、前記基部に前記使用者の足が載置された状態で前記足の甲側に延在し、前記基部に連結される保持部と、前記使用者の足が前記基部に載置された状態で、前記使用者の足首を中心とし屈曲方向に前記足を曲げるように付勢するための屈曲方向付勢手段及び前記使用者の足首を中心とし前記屈曲方向に対向する伸展方向に前記足を曲げるように付勢するための伸展方向付勢手段の一方又は両方とを備える。【０００８】  また、本発明の足首関節訓練具の第２の態様によれば、前記足首関節訓練具の第１の態様であって、前記屈曲方向付勢手段は、前記基部から延びる弾性部材である。【０００９】  また、本発明の足首関節訓練具の第３の態様によれば、前記足首関節訓練具の第１又は第２の態様であって、前記弾性部材は無端部材であり、前記載置面に対向する前記基部の裏面に、前記弾性部材を係止するための凹部が設けられている。【００１０】  また、本発明の足首関節訓練具の第４の態様によれば、前記足首関節訓練具の第１〜第３の態様の何れかであって、前記使用者の足のつま先を覆うように延在する被覆部を備え、前記伸展方向付勢手段は、前記載置面に対向する前記基部の裏面に対し、所定角度で延在し前記被覆部に設けられる第１の伸展補助面を有する。【００１１】また、本発明の足首関節訓練具の第５の態様によれば、前記足首関節訓練具の第４の態様であって、前記伸展方向付勢手段は、前記所定角度で延在し前記基部に設けられる第２の伸展補助面を有する。【００１２】また、本発明の足首関節訓練具の第６の態様によれば、前記足首関節訓練具の第４又は第５の態様であって、前記被覆部と前記保持部とは一部品から構成されている。【００１３】  また、本発明の足首関節訓練具の第７の態様によれば、前記足首関節訓練具の第４〜第６の態様の何れかであって、前記所定角度は、９２〜９５度である。【００１４】また、本発明の足首関節訓練具の第８の態様によれば、前記足首関節訓練具の第４〜第７の態様の何れかであって、前記被覆部は、前記第１の伸展補助面から湾曲に連続する湾曲面を有する。【００１５】また、本発明の足首関節訓練具の第９の態様によれば、前記足首関節訓練具の第１〜第８の態様の何れかであって、前記基部は、前記使用者の足が前記基部に載置された状態で前記足の踵側の位置に、前記載置面に対向する前記基部の裏面に対し傾斜する傾斜面を備える。
【発明の効果】
【００１６】  本発明によれば、手軽で、短時間ですみ、また、費用が嵩むことのない、足首関節訓練具を提供することができる。特に、図１１や図１２に示した姿勢を取ることができない者又は膝や股関節に痛みや変形のある者であって、座り仕事が長い者が使用するために適した足首関節訓練具である。本発明の足首関節訓練具を用いることで、足首の屈伸運動を簡単に行うことができる。
【図面の簡単な説明】
【００１７】
【図１】  本発明の実施例に係る足首関節訓練具の斜視図
【図２】  本実施例に係る足首関節訓練具を上から見た平面図
【図３】  本実施例に係る足首関節訓練具の裏面図（下から見た図）
【図４】  本実施例に係る足首関節訓練具を前（つま先側）から見た図
【図５】  本実施例に係る足首関節訓練具を後（かかと側）から見た図
【図６】  図２のＡ−Ａ断面図
【図７】  本実施例に係る足首関節訓練具に弾性部材が装着された状態を示す図（Ｂ：屈曲方向、Ｅ：伸展方向）
【図８】  本発明の実施例に係る足首関節訓練具（写真）
【図９】  本発明の実施例に係る足首関節訓練具を使用している状態を示す図（屈曲方向）
【図１０】  本発明の実施例に係る足首関節訓練具を使用している状態を示す図（伸展方向）
【図１１】  人がしゃがんでいる状態の写真
【図１２】  人が正座をしている状態の写真
【図１３】  実施例の変形例に係る足首関節訓練具の斜視図
【図１４】  実施例の変形例に係る足首関節訓練具を上から見た平面図
【図１５】  実施例の変形例に係る足首関節訓練具の裏面図（下から見た図）
【図１６】  実施例の変形例に係る足首関節訓練具を前（つま先側）から見た図
【図１７】  実施例の変形例に係る足首関節訓練具を後（かかと側）から見た図
【図１８】  図１４のＢ−Ｂ断面図
【発明を実施するための形態】
【００１８】  以下、添付図面を参照して本発明の実施例について説明する。図面において、同一符号は同一部材を示している。
【実施例】
【００１９】図１は、本発明の実施例の足首関節訓練具１を示す。保持部５と被覆部９は連続している。すなわち、本実施例では、保持部５及び被覆部９が一部品から構成されている。なお、保持部５と被覆部９とを別部材とすることも可能である。
図２は、足首関節訓練具を上から見た図である。図２中の線Ａ−Ａは足首関節訓練具１の中心を通る線であり、線Ａ−Ａに沿った断面が図６に示されている。【００２０】図３は、足首関節訓練具１の裏面図（下から見た図）である。足首関節訓練具１の長手方向に関する凹部８の長さＬ（線Ａ−Ａ（図２参照）に沿った長手方向寸法）は１００ｍｍである。この凹部８の幅寸法Ｗ（線Ａ―Ａに直交する短手方向寸法）は８０〜１２０ｍｍの範囲が、凹部８の深さ（基部３の厚さ方向寸法（図４の上下方向寸法））は２ｍｍであるが、この深さは２ｍｍ〜５ｍｍとすることが好ましい。かかとの傾斜面１２は、長手方向（線Ａ−Ａ）に沿ってかかと（基部３の最後尾２ａ）より２０ｍｍ〜３０ｍｍの範囲内に延在し、裏面７との成す所定角度αは２５〜３５°とすることが好ましい。屈曲付勢手段を構成する傾斜面１２を設けることにより、使用者が足を伸展状態に安定して維持することができる。なお、上記長さ寸法を有する足首関節訓練具１は、平均的な成人男性の使用に適した足首関節訓練具の一例であり、本発明は当該足首関節訓練具１に限定されることはない。【００２１】図４は、足首関節訓練具１を前（つま先側）から見た図であり、図５は、足首関節訓練具１を後（かかと側）から見た図である。図４に示すように、足首関節訓練具１は、基部３に固定された保持部５、被覆部９を備え、被覆部９は伸展方向付勢手段である第１の伸展補助面１０および湾曲面１１を有する。本実施例では、第１の伸展補助面１０および湾曲面１１は連続しているため境を示す線は図面に現れない。【００２２】図６は、図２のＡ−Ａ断面図である。保持部５、被覆部９、第１の伸展補助面１０は連続している。湾曲面１１は被覆部９の一部である。裏面７と第１の伸展補助面１０とが成す所定角度θは、９２〜９５度であることが好ましい。例えば、所定角度θが、９２度未満のときは、使用者が足首関節訓練具１を足に装着して足首関節を伸展する場合に、足首の関節に過度の負担が掛かる恐れがある。一方、所定角度θが９５度より大きいときは、足首の関節に十分な負荷を掛けられない恐れがある。【００２３】  図７は、足首関節訓練具１の屈曲方向付勢手段である弾性部材６を使用者の足４に装着した状態を示す図である。なお、図７中において、足４の足首関節回りに関し矢印Ｂ方向（反時計回り方向）は屈曲方向を示し、足４の足首関節回りに矢印Ｅ方向（時計回り方向）は伸展方向を示している。弾性部材６としては、たとえば、ゴム製の無端部材、あるいは、面ファスナーを用いて止めるベルト形状の部材が使用できる。【００２４】  図８は、足首関節訓練具１を示す写真である。この写真は右足用であるが、図１〜図８に示したものも、いずれも右足用である。なお、左足用の足首関節訓練具は、右足用の足首関節訓練具１と線対称となる形状を呈することを除き、右足用の足首関節訓練具の構成、寸法、材料、並びに効果と同じであることは言うまでもない。【００２５】  また、足首関節訓練具は、単一の足首関節訓練具を左右の足で共用する構成とすることも可能である。上記実施例の変形例である、両足共用の足首関節訓練具１０１が図１３〜１８に示されている。  図１３は、実施例の変形例に係る足首関節訓練具の斜視図であり、図１４は、実施例の変形例に係る足首関節訓練具を上から見た平面図であり、図１５は、実施例の変形例に係る足首関節訓練具の裏面図（下から見た図）、図１６は、実施例の変形例に係る足首関節訓練具を前（つま先側）から見た図。さらに、図１７は、実施例の変形例に係る足首関節訓練具を後（かかと側）から見た図であり、図１８は、図１４のＢ−Ｂ断面図である。【００２６】  足首関節訓練具１０１は、足首関節訓練具１と異なり、長手方向に関する中心線に関し左右対称の形状である。なお、図中において、足裏の窪み部分である土踏まずに沿うように、凸状のサポート部材１８０を取り外し可能に装着可能であり、図１３、図１４では、２つのサポート部材１８０が保持部１０５の両側に示されているが、当該足首関節訓練具１０１を左足（又は右足）に使用する場合は、右側（又は左側）のサポート部材１８０を取り外すことは言うまでもない。なお、サポート部材１８０の基部１０３に対して固定する手段は、例えば、マジックテープ等を利用することができる、マジックテープの場合、サポート部材１８０及び基部１０３の一方にかぎ爪状の突起を設け、サポート部材１８０と基部１０３との他方に起毛部を設け、両者を係合することにより固定される。または、サポート部
材１８０と基部１０３との一方にピン部材を設け、サポート部材１８０と基部１０３の他方に穴部材を設け、ピン部材を穴部材に挿入することにより、サポート部材１８０と基部１０３とを固定することができる。【００２７】  さらに、変形例の足首関節訓練具１０１において、実施例の足首関節訓練具１に対応する部位の参照符号は、実施例の部材の参照符号に１００を加えた数となる。足首関節訓練具１０１の説明しない部位については、本実施例の足首関節訓練具１の対応する部位と同様の効果、作用を奏することは言うまでもない。【００２８】  足首関節訓練具１０１の凹部１０８は、その踵側１０２ａ側からつま先側に向かい傾斜する上面１０８ａを有している。すなわち、凹部１０８の深さ寸法が、踵側１０２ａ側からつま先側に漸増している。このように凹部１０８を構成すると、使用者が弾性部材（図７の参照符号６を参照。）を引っ張ることにより、踵部１１２を支点として足首関節訓練具１０１の基部１０３に対し屈曲方向（図７の矢印Ｂ参照。）に力を加えることができ、足首４の屈曲運動を容易に行うことができる。また、弾性部材８（図７参照。）が凹部１０８から不意に外れてしまうことを防止できる。なお、実施例における凹部８についても、本実施形態と同様に、上面を傾斜する構成とすることも可能である。さらに、実施例及び変形例では、弾性部材６と基部３、１０３とは別体として構成されているが、弾性部材６と基部３、１０３とを一部品として構成することも可能である。【００２９】  図９は、使用者が、足首関節訓練具１を足４に装着して足首を屈曲（図７の矢印Ｂ（屈曲方向）を参照。）させている状態を示す写真である。基部３の裏面７の中央部よりややつま先側の足首関節訓練具１の凹部８に弾性部材６を掛け、使用者の膝の上あたり（太ももの）で固定している。この屈曲状態では、足首関節訓練具１のつま先側は上方に引っ張られ、つま先が上がっている。この屈曲状態においては、傾斜面１２は床に接地しているため、足首４を屈曲した状態において優れた安定性が得られる。このように、足首関節訓練具１を用いることにより、使用者の足４をしゃがんでいるのと同じ状態（図１１参照。）に保つことが容易にできる。このように、本実施例では、弾性部材６と傾斜面１２とにより屈曲方向付勢手段が構成されている。【００３０】  図１０は、使用者が、足首関節訓練具１を足４に装着して足首を伸展運動（図７の矢印Ｅ（伸展方向）を参照。）させている状態を示す写真である。この図１０においては、被覆部９の中の湾曲面１１が接地し足首４を伸展させている状態である。なお、本実施例では、足首関節が固い方であっても、足首に負担を掛けることなく足首関節訓練具１を利用できるように、第１の伸展補助面１０が設けられている。【００３１】  また、本実施例では、基部３のつま先側に、伸展方向付勢手段である第２の伸展補助面１３が形成されている。第２の伸展補助面１３は、第１の伸展補助面１０と面一であり、裏面７に対し所定角度θで延在する。
第１の伸展補助面１０及び第２の伸展補助面１３を接地させることにより使用者の足首を伸展状態に安定して保持することができる。この伸展状態は、使用者が正座をしている状態（図１１参照。）と同じである。【００３２】  上述の通り、この足首関節訓練具１を用いることにより、使用者自身により、足首４を屈曲状態、及び伸展状態に維持することができる。
さらに、第２の伸展補助面１３に連続する湾曲面１１は、伸展方向付勢手段を構成する。足４を矢印Ｅ方向（伸展方向）に回転させ湾曲面１１を接地させることにより、使用者が更に足首を伸展させることができる。このように、第１及び第２の伸展補助面１０、１３と、湾曲面１１を設けることにより、使用者が段階的に安定して足首の伸展運動を行うことができる。【００３３】図１１は、人が足の踵を浮かせずにしゃがんでいる状態の写真である。
図１２は、人が正座をしている状態の写真である。【００３４】  なお、本実施例の足首関節訓練具１は、サンダルに類似する形状であるが、本発明はこの形状に限定されない。本発明の足首関節訓練具は、足を保持できる形状であれば、スリッパ、靴等のいかなる形状を採用することも可能である。【００３５】  さらに、本発明の足首関節訓練具は、本実施例の構成に限定されず、足４とひざを保持し、足４とひざとが近づくよう（屈曲方向）に動かせ及び離れるように（伸展方向）に動かせる歯車等で調整できる機構を備える構成とすることができる。例えば、足４を保持する足保持部と、ひざを保持するひざ保持部と、足保持部とひざ保持部とを足首回りに枢動するための枢動機構と、を備え、当該枢動機構により足保持部とひざ保持部とを枢動する構成を本発明の足首関節訓練具として採用することも可能である。【００３６】  以上、本発明の実施例について説明したが、本発明はこの実施例に限定されず、その要旨の範囲内で種々の変形及び変更が可能である。
【産業上の利用可能性】
【００３７】あらたな医療器具製造産業の振興につながる。
【符号の説明】
【００３８】１、１０１  足首関節訓練具
２、１０２  載置面
３、１０３  基部
４、１０４  足
５、１０５  保持部
６、１０６  弾性部材
７、１０７  裏面
８、１０８  凹部
１０８ａ  上面
９、１０９  被覆部
１０、１１０  第１の伸展補助面
１１、１１１  湾曲面
１２、１１２  傾斜面
１３、１１３  第２の伸展補助面
１８０  サポート部材
Ｂ  屈曲方向
Ｅ  伸展方向
【図１】
2017202286.tif 000003
【図２】
2017202286.tif 000004
【図３】
2017202286.tif 000005
【図４】
2017202286.tif 000006
【図５】
2017202286.tif 000007
【図６】
2017202286.tif 000008
【図７】
2017202286.tif 000009
【図８】
2017202286.tif 000010
【図９】
2017202286.tif 000011
【図１０】
2017202286.tif 000012
【図１１】
2017202286.tif 000013
【図１２】
2017202286.tif 000014
【図１３】
2017202286.tif 000015
【図１４】
2017202286.tif 000016
【図１５】
2017202286.tif 000017
【図１６】
2017202286.tif 000018
【図１７】
2017202286.tif 000019
【図１８】
2017202286.tif 000020
【手続補正書】
【提出日】平成29年1月8日(2017.1.8)
【手続補正１】
【補正対象書類名】特許請求の範囲
【補正対象項目名】全文
【補正方法】変更
【補正の内容】
【特許請求の範囲】
【請求項１】
使用者の足が載置される載置面を有する基部と、
前記基部に前記使用者の足が載置された状態で前記足の甲側に延在し、前記基部に連結される保持部と、
前記使用者の足が前記基部に載置された状態で、前記使用者の足首を中心とし屈曲方向に前記足を曲げるように付勢するための屈曲方向付勢手段と、
前記使用者の足のつま先を覆うように延在し、前記基部及び前記保持部に接続する被覆部と、を備え、
前記被覆部は、前記使用者の足が伸展方向に過度に曲がることを防止するための第１の伸展補助面と前記第１の伸展補助面に接続し前記足の伸展を促す湾曲面とを有し、前記第１の伸展補助面と前記載置面に対向する前記基部の裏面とが所定角度を形成することを特徴とする足首関節訓練具。
【請求項２】
前記屈曲方向付勢手段は、前記基部から延びる弾性部材であることを特徴とする請求項１に記載の足首関節訓練具。
【請求項３】
前記弾性部材は無端部材であり、前記載置面に対向する前記基部の裏面に、前記弾性部材を係止するための凹部が設けられていることを特徴とする請求項２に記載の足首関節訓練具。
【請求項４】
前記基部は、前記第１の伸展補助面と面一である第２の伸展補助面を有することを特徴とする請求項１〜３のいずれか一項に記載の足首関節訓練具。
【請求項５】
前記被覆部と前記保持部とは一部品から構成されていることを特徴とする請求項１〜４のいずれか一に記載の足首関節訓練具。
【請求項６】
前記所定角度は、９２〜９５度であることを特徴とする請求項１〜５のいずれか一に記載の足首関節訓練具。
【請求項７】
前記基部は、前記使用者の足が前記基部に載置された状態で前記足の踵側の位置に、前記載置面に対向する前記基部の裏面に対し傾斜する傾斜面を備えることを特徴とする請求項１〜６のいずれか一に記載の足首関節訓練具。
【請求項８】
前記凹部の深さ寸法は、前記基部の踵側からつま先側に漸増していることを特徴とする請求項３に記載の足首関節訓練具。